(57)【特許請求の範囲】
【請求項１】
ユーザ端末が出力させる複数の帳票の出力先として、一又は一群の帳票ごとに設定されている複数の出力端末に関する複数の出力端末情報を格納する出力端末情報格納部と、
前記複数の出力端末が設置された領域に関する出力端末設置領域情報と、前記複数ある出力端末のそれぞれの位置を前記出力端末設置領域情報における位置に対応付ける出力端末位置情報とを格納する出力端末配置情報格納部と、
前記ユーザ端末からの前記複数ある出力端末情報のうちの一又は二以上の出力端末情報の変更要求に応じて前記一又は二以上の出力端末情報を変更する出力端末情報変更部と、
前記ユーザ端末からの前記一又は二以上の出力端末情報の送信要求に応じて、前記出力端末位置情報に基づく前記出力端末設置領域情報における位置と関連付けられた領域上に前記一又は一群の帳票ごとに対応付けて前記複数ある出力端末のそれぞれの出力端末表示を付加することによって帳票出力先配置情報を生成する帳票出力先配置情報生成部と、
前記帳票出力先配置情報を前記ユーザ端末に送信する帳票出力先配置情報送信部と
を備え、
前記出力端末表示として、前記出力端末設置領域情報における前記変更要求に応じて変更された前記一又は二以上の出力端末の位置を表示する第一の出力端末表示と、前記出力端末設置領域情報における前記第一の出力端末表示により表示する一又は二以上の出力端末以外の前記一又は二以上の出力端末の位置を表示する第二の出力端末表示とが設定されており、前記第一の出力端末表示及び前記第二の出力端末表示は、前記出力端末に対応した前記帳票が識別可能な表示であり、
前記帳票出力先配置情報生成部は、
前記ユーザ端末からの前記変更要求後の所定期間の間に前記ユーザ端末から前記送信要求を受けたとき、前記出力端末設置領域情報における前記出力端末の位置であって、前記変更要求に応じて変更する前及び変更した後の一又は二以上の出力端末の位置に前記第一の出力端末表示を付加することによって前記帳票出力先配置情報を生成し、
前記所定期間の経過後に前記ユーザ端末から前記送信要求を受けたとき、前記出力端末設置領域情報における前記出力端末の位置であって、前記変更した後の一又は二以上の出力端末の位置に前記第二の出力端末表示を付加することによって前記帳票出力先配置情報を生成する帳票出力端末変更装置。
【請求項２】
前記第一の出力端末表示は、前記変更する前の一又は二以上の出力端末と、前記変更した後の一又は二以上の出力端末とを識別可能に表示する請求項１に記載の帳票出力端末変更装置。
【請求項３】
前記変更要求した前記ユーザ端末と少なくとも前記一又は二以上の出力端末との接続関係に関する出力端末接続情報を格納する出力端末接続情報格納部を備え、
前記帳票出力先配置情報生成部は、前記ユーザ端末からの前記一又は二以上の出力端末情報の送信要求に応じて、前記出力端末接続情報に基づく前記出力端末設置領域情報における位置と関連付けられた領域上に前記ユーザ端末における前記一又は二以上の出力端末との接続関係の接続関係表示を付加することによって前記帳票出力先配置情報を生成する請求項１又は請求項２に記載の帳票出力端末変更装置。
【請求項４】
請求項１〜請求項３のいずれか１項に記載の帳票出力端末変更装置と、
該帳票出力端末変更装置とネットワークを介して接続される前記一又は二以上のユーザ端末及び前記複数の出力端末と
を備える帳票出力端末変更システム。
【請求項５】
請求項１〜請求項３のいずれか１項に記載の帳票出力端末変更装置を用いて前記複数の帳票を出力する前記複数ある出力端末を変更する帳票出力端末変更方法であって、
前記ユーザ端末からの前記複数ある出力端末情報のうちの一又は二以上の出力端末情報の変更要求に応じて前記一又は二以上の出力端末情報を変更するステップと、
前記ユーザ端末からの前記変更要求後の所定期間の間に前記ユーザ端末からの前記一又は二以上の出力端末情報の送信要求を受けたとき、前記出力端末設置領域情報における前記出力端末の位置であって、前記変更要求に応じて変更する前及び変更した後の一又は二以上の出力端末の位置に前記第一の出力端末表示を付加することによって前記帳票出力先配置情報を生成するステップと、
前記所定期間の経過後に前記ユーザ端末から前記送信要求を受けたとき、前記出力端末設置領域情報における前記出力端末の位置であって、前記変更した後の一又は二以上の出力端末の位置に前記第二の出力端末表示を付加することによって前記帳票出力先配置情報を生成するステップと、
前記帳票出力先配置情報を前記ユーザ端末に送信するステップと
を備える帳票出力端末変更方法。
【請求項６】
コンピュータに、
ユーザ端末が出力させる複数の帳票の出力先として、一又は一群の帳票ごとに設定されている複数の出力端末に関する複数の出力端末情報を格納する出力端末情報格納機能、
前記複数の出力端末が設置された領域に関する出力端末設置領域情報と、前記複数ある出力端末のそれぞれの位置を前記出力端末設置領域情報における位置に対応付ける出力端末位置情報とを格納する出力端末配置情報格納機能、
前記ユーザ端末からの前記複数ある出力端末情報のうちの一又は二以上の出力端末情報の変更要求に応じて前記一又は二以上の出力端末情報を変更する出力端末情報変更機能、
前記ユーザ端末からの前記一又は二以上の出力端末情報の送信要求に応じて、前記出力端末位置情報に基づく前記出力端末設置領域情報における位置と関連付けられた領域上に前記一又は一群の帳票ごとに対応付けて前記複数ある出力端末のそれぞれの出力端末表示を付加することによって帳票出力先配置情報を生成する帳票出力先配置情報生成機能、
前記帳票出力先配置情報を前記ユーザ端末に送信する帳票出力先配置情報送信機能
を実現させ、
前記出力端末表示として、前記出力端末設置領域情報における前記変更要求に応じて変更された前記一又は二以上の出力端末の位置を表示する第一の出力端末表示と、前記出力端末設置領域情報における前記第一の出力端末表示により表示する一又は二以上の出力端末以外の前記一又は二以上の出力端末の位置を表示する第二の出力端末表示とが設定されており、前記第一の出力端末表示及び前記第二の出力端末表示は、前記出力端末に対応した前記帳票が識別可能な表示であり、
前記帳票出力先配置情報生成機能は、
前記ユーザ端末からの前記変更要求後の所定期間の間に前記ユーザ端末から前記送信要求を受けたとき、前記出力端末設置領域情報における前記出力端末の位置であって、前記変更要求に応じて変更する前及び変更した後の一又は二以上の出力端末の位置に前記第一の出力端末表示を付加することによって前記帳票出力先配置情報を生成し、
前記所定期間の経過後に前記ユーザ端末から前記送信要求を受けたとき、前記出力端末設置領域情報における前記出力端末の位置であって、前記変更した後の一又は二以上の出力端末の位置に前記第二の出力端末表示を付加することによって前記帳票出力先配置情報を生成するコンピュータ読取可能な帳票出力端末変更プログラム。
【発明の詳細な説明】
【技術分野】
【０００１】
本発明は、ネットワークを介して接続された一又は二以上のユーザ端末及び複数の出力端末を集中管理しているシステムにおいて、一又は二以上のユーザ端末から複数ある帳票が出力される出力端末を変更するための帳票出力端末変更装置、帳票出力端末変更システム、帳票出力端末変更方法及び帳票出力端末変更プログラムに関する。
【背景技術】
【０００２】
従来より、一又は二以上のサーバにネットワークを介して一又は二以上のユーザ端末や複数の出力端末が接続され、これらの複数の端末がこのサーバによって集中管理されている。この集中管理システムにおいて、一又は二以上のユーザ端末が出力する帳票の出力先もサーバによって集中管理される場合がある。各ユーザは、一又は二以上のユーザ端末によってサーバにアクセスし、該サーバに対して帳票の出力要求を行うと、サーバが帳票の出力先を決定し、出力端末に帳票出力要求を行い、出力端末がこの帳票出力要求に従って帳票を出力する。【０００３】
サーバが決定した出力端末によっては、故障や用紙切れなどによりユーザ側で出力端末として適さないことが容易にわかる場合であっても、ユーザ端末には、帳票を出力する出力端末を変更する権限がなく、ユーザは、サーバを管理する管理者に帳票の出力先を変更してほしい旨の依頼をしなければ変更することができなかった。【０００４】
このような事情により、ユーザにもユーザ端末から帳票の出力先を変更する権限を与えられることが望まれていた。しかし、業務によって異なる形状や様式の帳票が取り扱われており、それぞれの帳票に応じて出力端末も使い分けられている。そのため、どの出力端末がどの帳票に対応しており、設定した出力端末がどこに設置されているのかをユーザがすべて把握することが困難である。そのことが帳票の出力先を変更する権限をユーザに付与する妨げとなっていた。
【先行技術文献】
【特許文献】
【０００５】
【特許文献１】日本国特開平１０−１８７５７６号公報
【発明の概要】
【発明が解決しようとする課題】
【０００６】
よって、本発明は、かかる事情に鑑み、ユーザ端末で帳票の出力先を変更できるようにするとともに、その変更後の出力端末の位置をユーザが容易に把握することができるようにユーザ端末に情報を提供する帳票出力端末変更装置、帳票出力端末変更システム、帳票出力端末変更方法及び帳票出力端末変更プログラムを提供することを課題とする。
【課題を解決するための手段】
【０００７】
本発明に係る帳票出力端末変更装置は、ユーザ端末が出力させる複数の帳票の出力先として、一又は一群の帳票ごとに設定されている複数の出力端末に関する複数の出力端末情報を格納する出力端末情報格納部と、複数の出力端末が設置された領域に関する出力端末設置領域情報と、複数ある出力端末のそれぞれの位置を出力端末設置領域情報における位置に対応付ける出力端末位置情報とを格納する出力端末配置情報格納部と、ユーザ端末からの複数ある出力端末情報のうちの一又は二以上の出力端末情報の変更要求に応じて一又は二以上の出力端末情報を変更する出力端末情報変更部と、ユーザ端末からの一又は二以上の出力端末情報の送信要求に応じて、出力端末位置情報に基づく出力端末設置領域情報における位置と関連付けられた領域上に一又は一群の帳票ごとに対応付けて複数ある出力端末のそれぞれの出力端末表示を付加することによって帳票出力先配置情報を生成する帳票出力先配置情報生成部と、帳票出力先配置情報をユーザ端末に送信する帳票出力先配置情報送信部とを備え、出力端末表示として、出力端末設置領域情報における変更要求に応じて変更された一又は二以上の出力端末の位置を表示する第一の出力端末表示と、出力端末設置領域情報における第一の出力端末表示により表示する一又は二以上の出力端末以外の一又は二以上の出力端末の位置を表示する第二の出力端末表示とが設定されており、第一の出力端末表示及び第二の出力端末表示は、出力端末に対応した帳票が識別可能な表示であり、帳票出力先配置情報生成部は、ユーザ端末からの変更要求後の所定期間の間にユーザ端末から送信要求を受けたとき、出力端末設置領域情報における出力端末の位置であって、変更要求に応じて変更する前及び変更した後の一又は二以上の出力端末の位置に第一の出力端末表示を付加することによって帳票出力先配置情報を生成し、所定期間の経過後にユーザ端末から送信要求を受けたとき、出力端末設置領域情報における出力端末の位置であって、変更した後の一又は二以上の出力端末の位置に第二の出力端末表示を付加することによって帳票出力先配置情報を生成することを特徴とする。
【０００８】
ここで、本発明に係る帳票出力端末変更装置の一態様として、第一の出力端末表示は、変更する前の一又は二以上の出力端末と、変更した後の一又は二以上の出力端末とを識別可能に表示することが好ましい。
【００１１】
また、本発明に係る帳票出力端末変更装置の他態様として、変更要求したユーザ端末と少なくとも一又は二以上の出力端末との接続関係に関する出力端末接続情報を格納する出力端末接続情報格納部を備え、帳票出力先配置情報生成部は、ユーザ端末からの一又は二以上の出力端末情報の送信要求に応じて、出力端末接続情報に基づく出力端末設置領域情報における位置と関連付けられた領域上にユーザ端末における一又は二以上の出力端末との接続関係の接続関係表示を付加することによって帳票出力先配置情報を生成することが好ましい。
【００１２】
また、本発明に係る帳票出力端末変更システムは、前述の帳票出力端末変更装置と、該帳票出力端末変更装置とネットワークを介して接続される一又は二以上のユーザ端末及び複数の出力端末とを備えることを特徴とする。【００１３】
また、本発明に係る帳票出力端末変更方法は、前述の帳票出力端末変更装置を用いて複数の帳票を出力する複数ある出力端末を変更する帳票出力端末変更方法であって、ユーザ端末からの複数ある出力端末情報のうちの一又は二以上の出力端末情報の変更要求に応じて一又は二以上の出力端末情報を変更するステップと、ユーザ端末からの変更要求後の所定期間の間にユーザ端末からの一又は二以上の出力端末情報の送信要求を受けたとき、出力端末設置領域情報における出力端末の位置であって、変更要求に応じて変更する前及び変更した後の一又は二以上の出力端末の位置に第一の出力端末表示を付加することによって帳票出力先配置情報を生成するステップと、所定期間の経過後にユーザ端末から送信要求を受けたとき、出力端末設置領域情報における出力端末の位置であって、変更した後の一又は二以上の出力端末の位置に第二の出力端末表示を付加することによって帳票出力先配置情報を生成するステップと、帳票出力先配置情報をユーザ端末に送信するステップとを備えることを特徴とする。
【００１４】
また、本発明に係る帳票出力端末変更プログラムは、コンピュータに、ユーザ端末が出力させる複数の帳票の出力先として、一又は一群の帳票ごとに設定されている複数の出力端末に関する複数の出力端末情報を格納する出力端末情報格納機能、複数の出力端末が設置された領域に関する出力端末設置領域情報と、複数ある出力端末のそれぞれの位置を出力端末設置領域情報における位置に対応付ける出力端末位置情報とを格納する出力端末配置情報格納機能、ユーザ端末からの複数ある出力端末情報のうちの一又は二以上の出力端末情報の変更要求に応じて一又は二以上の出力端末情報を変更する出力端末情報変更機能、ユーザ端末からの一又は二以上の出力端末情報の送信要求に応じて、出力端末位置情報に基づく出力端末設置領域情報における位置と関連付けられた領域上に一又は一群の帳票ごとに対応付けて複数ある出力端末のそれぞれの出力端末表示を付加することによって帳票出力先配置情報を生成する帳票出力先配置情報生成機能、帳票出力先配置情報をユーザ端末に送信する帳票出力先配置情報送信機能を実現させ、出力端末表示として、出力端末設置領域情報における変更要求に応じて変更された一又は二以上の出力端末の位置を表示する第一の出力端末表示と、出力端末設置領域情報における第一の出力端末表示により表示する一又は二以上の出力端末以外の一又は二以上の出力端末の位置を表示する第二の出力端末表示とが設定されており、第一の出力端末表示及び第二の出力端末表示は、出力端末に対応した帳票が識別可能な表示であり、帳票出力先配置情報生成機能は、ユーザ端末からの変更要求後の所定期間の間にユーザ端末から送信要求を受けたとき、出力端末設置領域情報における出力端末の位置であって、変更要求に応じて変更する前及び変更した後の一又は二以上の出力端末の位置に第一の出力端末表示を付加することによって帳票出力先配置情報を生成し、所定期間の経過後にユーザ端末から送信要求を受けたとき、出力端末設置領域情報における出力端末の位置であって、変更した後の一又は二以上の出力端末の位置に第二の出力端末表示を付加することによって帳票出力先配置情報を生成することを特徴とする。
【図面の簡単な説明】
【００１５】
【図１】図１は、本発明の一実施形態に係る帳票出力端末変更システムの全体構成図である。
【図２】図２は、同実施形態に係る帳票出力端末管理装置のフローチャートである。
【図３】図３は、同実施形態に係る帳票出力端末管理装置のフローチャートである。
【図４】図４は、同実施形態に係る帳票出力端末管理装置のフローチャートである。
【図５】図５は、同実施形態に係る帳票出力端末管理装置のフローチャートである。
【図６】図６は、ユーザ端末のディスプレイ上に表示される表示画面の一例である。
【発明を実施するための形態】
【００１６】
本発明の一実施形態に係る帳票出力端末変更システムについて、図１〜図６を参照しつつ説明する。まず、本実施形態に係る帳票出力端末変更システムの構成について、図１を参照しつつ説明する。
【００１７】
帳票出力端末変更システム１は、一又は二以上のユーザ端末２と、複数の出力端末３と、Ｗｅｂサーバ４と、一又は二以上のユーザ端末２によって帳票の出力先を変更可能な帳票出力端末変更装置５と、これらを接続するネットワーク６とから構成される。
【００１８】
ユーザ端末２は、汎用コンピュータであり、情報処理部としてのＣＰＵと、格納部としてのＲＡＭ及びＲＯＭと、出力部としてのディスプレイ及びＩ／Ｏと、入力部としてのキーボード及びポインティングデバイスとを備える。
【００１９】
出力端末３は、本実施形態では、プリンタ３１である例を説明する。プリンタ３１には、プリンタサーバ３２が付属され、該プリンタサーバ３を介してネットワーク６に接続されている。プリンタサーバ３２は、ユーザ端末２と同様の汎用コンピュータである。なお、プリンタ３１は、直接ネットワーク６に接続することができるネットワークプリンタであってもよい。
【００２０】
Ｗｅｂサーバ４は、ユーザ端末２と同様の汎用コンピュータである。Ｗｅｂサーバ４は、ユーザ端末２からネットワーク６を介してアクセスされて、ユーザ端末２から入力される情報を帳票出力端末変更装置５に送信し、ユーザ端末２からの処理要求を帳票出力端末変更装置５に送信して処理結果を受信し、ユーザ端末２に送信（返信）する。
【００２１】
帳票出力端末変更装置５は、ユーザ端末２と同様の汎用コンピュータである。帳票出力端末変更装置５は、一又は二以上のユーザ端末２が帳票を出力する出力端末３の設定を変更するための帳票出力端末変更プログラムがインストールされている。帳票出力端末変更装置５は、この帳票出力端末変更プログラムをＣＰＵが実行することにより、送受信部（本発明の「帳票出力先配置情報送信部」）５１と、情報認識部５２と、出力端末情報格納部５３と、帳票出力処理部５４と、出力端末情報変更部５５と、出力端末配置情報格納部５６と、出力端末接続情報格納部５７と、帳票出力先配置情報生成部５８とが実現される。
【００２２】
送受信部５１は、Ｗｅｂサーバ４との情報の送受信を行う。そして、送受信部５１は、このＷｅｂサーバ４を介して、ユーザ端末２、出力端末３と情報の送受信を行う。
【００２３】
情報認識部５２は、Ｗｅｂサーバ４から受信する情報を認識して、帳票出力処理部５４、出力端末情報変更部５５又は帳票出力先配置情報生成部５８の何れを動作させるかを決定し、必要な情報を送信する。
【００２４】
出力端末情報格納部５３は、ユーザ端末２に関するユーザ端末識別情報と、ユーザ端末２が出力させる複数の帳票の出力先として一又は一群の帳票ごとに設定されている複数の出力端末３に関する複数の出力端末情報を格納する。出力端末情報は、具体的には、出力端末３の出力端末識別情報と、出力可能な一又は一群の帳票の帳票識別情報と、該帳票を出力する権限を有するユーザ端末２のユーザ端末識別情報とから構成されている。そして、出力端末情報格納部５３は、出力端末情報を、ユーザ端末２と一又は一群の帳票ごとに出力可能な出力端末３を対応付けて格納する。
【００２５】
帳票出力処理部５４は、情報認識部５２からの帳票出力命令とともに送信される帳票種別に関する情報及びその帳票を作成するための情報に基づき出力端末３で出力可能なフォーマットに変換された帳票出力情報を生成する。帳票出力処理部５４は、この帳票出力情報を情報認識部５２に送信する。
【００２６】
出力端末情報変更部５５は、ユーザ端末２からの複数ある出力端末情報のうちの一又は二以上の出力端末情報の変更要求に応じて一又は二以上の出力端末情報を変更する。つまり、出力端末情報変更部５５は、ユーザ端末識別情報と帳票識別情報とから変更する出力端末３を特定し、出力端末情報格納部５３にユーザ端末識別情報と帳票識別情報とに対応付けて格納されている出力端末識別情報を、出力端末情報の変更要求とともに送信されてきた出力端末識別情報に変更する。
【００２７】
出力端末配置情報格納部５６は、複数の出力端末３が設置された領域に関する出力端末設置領域情報と、ユーザ端末２が設置された位置を出力端末設置領域情報における位置に対応付けるユーザ端末位置情報と、複数ある出力端末３のそれぞれが設置された位置を出力端末設置領域情報における位置に対応付ける出力端末位置情報とを格納する。出力端末設置領域情報は、具体的には、ユーザ端末２、出力端末３などの端末や該端末が設置される部屋、デスクなどが図示された配置図である。ユーザ端末位置情報及び出力端末位置情報は、この配置図上のユーザ端末２及び出力端末３の座標（位置）に関する情報である。
【００２８】
出力端末接続情報格納部５７は、一又は二以上の出力端末情報を変更要求したユーザ端末２と少なくとも一又は二以上の出力端末３との接続関係に関する出力端末接続情報を格納する。出力端末接続情報は、具体的には、ユーザ端末２、出力端末３などの端末間の通信ルートに関する情報であって、端末間がケーブルなどの有線にて通信されている場合であれば、その通信用のケーブルの配線ルートに関する情報であり、無線ＬＡＮなどの無線にて通信されている場合であれば、その無線通信手段の範囲に関する情報である。
【００２９】
帳票出力先配置情報生成部５８は、ユーザ端末２からの一又は二以上の出力端末情報の送信要求に応じて、出力端末位置情報に基づく出力端末設置領域情報における位置に関連付けられた領域上に一又は一群の帳票と複数ある出力端末３のそれぞれとを対応付けて表す出力端末表示を出力端末設置領域情報に付加する帳票出力先配置情報を生成する。
【００３０】
帳票出力先配置情報生成部５８は、図６に示すように、ユーザ端末２からの一又は二以上の出力端末情報の変更要求に応じて変更された一又は二以上の出力端末情報に基づく一又は二以上の出力端末３を表示する第一の出力端末表示Ｘを、他の複数の出力端末情報に基づく複数の出力端末３を表示する第二の出力端末表示Ｙと識別可能な表示を出力端末設置領域情報に付加する帳票出力先配置情報を生成する。また、帳票出力先配置情報生成部５８は、ユーザ端末２のユーザ端末識別情報に基づくユーザ端末２を表示するユーザ端末表示Ａを出力端末設置領域情報に付加する帳票出力先配置情報を生成する。
【００３１】
出力端末表示は、複数の出力端末情報の送信要求をしたユーザ端末２が出力可能な一又は二以上の出力端末３を一又は二以上の帳票ごとに識別可能な表示である。出力端末表示は、具体的には、各種帳票の名称からなる文字情報である。第一の出力端末表示Ｘは、各種帳票の出力先を変更したときに、変更前の出力端末３の位置に関連付けて表示される帳票の名称からなる文字情報である。例えば、第一の出力端末表示Ｘは、各種帳票の出力先を変更したときに、新たに出力端末３から出力される帳票が追加された場合、該出力端末３の位置に関連付けられた位置にその帳票名に矩形の枠が付加された文字及び図形情報である。また、第一の出力端末表示Ｘは、各種帳票の出力先を変更したときに、出力端末３から出力される帳票が削除された場合、該出力端末３の位置に関連付けられた位置にその帳票名にハッチングや二重取り消し線が付加された文字及び図形情報である。これらの第一の出力端末表示Ｘは、ユーザ端末２からの一又は二以上の出力端末情報の変更要求に応じて変更された後の所定期間、出力端末設置領域情報に付加される表示である。第一の出力端末表示Ｘは、所定期間経過後、各種帳票の名称のみからなる第二の出力端末表示Ｙとなる。
【００３２】
帳票出力先配置情報生成部５８は、更に、ユーザ端末２からの一又は二以上の出力端末情報の送信要求に応じて、出力端末接続情報に基づく出力端末設置領域情報における位置に関連付けられた領域上にユーザ端末２と少なくとも一又は二以上の出力端末３との接続関係を表す接続関係表示Ｚを出力端末設置領域情報に付加する帳票出力先配置情報を生成する。
【００３３】
接続関係表示Ｚは、ユーザ端末２、出力端末３などの端末間がケーブルなどの有線にて通信されている場合であれば、その通信用のケーブルの配線ルートに表示した図形情報であり、無線ＬＡＮなどの無線にて通信されている場合であれば、その無線通信される通信経路を仮想化して表示した図形情報である。
【００３４】
ネットワーク６は、典型的にはＬＡＮやＷＡＮ、インターネット、電話回線、専用デジタル回線、ＡＴＭやフレームリレー回線、通信衛星回線、ケーブルテレビ回線、データ放送用の無線回線等のいずれか、またはこれらの組み合わせにより実現されるいわゆる通信ネットワークであり、相互のデータの送受信が可能であれば、有線／無線の形態は問わない。
【００３５】
次に、本実施形態に係る帳票出力端末変更システムの作用について、図１〜図６を参照しつつ説明する。
【００３６】
まず、ユーザは、ユーザ端末２を利用してＷｅｂサーバ４にアクセスし、Ｗｅｂサーバ４に対して各種処理を要求する。例えば、図２に示されているように、ユーザがユーザ端末２から帳票出力要求を行うと、Ｗｅｂサーバ４は、この帳票出力要求を帳票出力端末変更装置５の送受信部５１を介して情報認識部５２に送信する（ステップＳ１でＹＥＳ）。情報認識部５２は、帳票出力要求に基づいて帳票出力処理部５４に帳票出力命令を送信して（ステップＳ２）、帳票出力処理部５４に帳票を作成させる。そして、帳票出力処理部５４は、出力端末情報格納部５３にアクセスして、出力要求を送信したユーザ端末２のユーザ端末識別情報と帳票識別情報とに基づき出力端末３の出力端末識別情報を取得する（ステップＳ３）。帳票出力処理部５４は、帳票出力情報とともに、その帳票を出力させる出力端末３の出力端末識別情報を情報認識部５２を介して送受信部５１に送信し、送受信部５１は、出力端末３に対して帳票出力情報を送信して、帳票を出力させる（ステップＳ４）。
【００３７】
また、ユーザがユーザ端末２から帳票を出力可能な出力端末３を変更する出力端末情報の変更要求を行うと、Ｗｅｂサーバ４は、図３に示されているように、この出力端末情報の変更要求を送受信部５１を介して情報認識部５２に送信する（ステップＳ１でＮＯ、ステップＳ５でＹＥＳ）。情報認識部５２は、この変更要求に基づき出力端末情報変更部５５に変更命令を送信して、出力端末情報変更部５５に出力端末情報を変更させる（ステップＳ６）。
【００３８】
出力端末情報変更部５５は、情報認識部５２からユーザ端末２のユーザ端末識別情報と帳票識別情報と出力端末情報を受信し（ステップＳ７）、出力端末情報格納部５３にアクセスして、ユーザ端末２のユーザ端末識別情報と帳票識別情報とから変更する出力端末３を特定する（ステップＳ８）。そして、出力端末情報変更部５５は、出力端末情報格納部５３にユーザ端末３のユーザ端末識別情報と帳票識別情報とに対応付けて格納されている（変更前の）出力端末３の出力端末識別情報を、出力端末情報の変更要求とともに送信されてきた（変更したい）出力端末３の出力端末識別情報に変更する（ステップＳ９）。
【００３９】
また、ユーザがユーザ端末２から出力可能な出力端末情報の送信要求を行うと、Ｗｅｂサーバ４は、図４に示されているように、この出力端末情報の送信要求を送受信部５１を介して情報認識部５２に送信する（ステップＳ１及びＳ５でＮＯ、ステップＳ１０でＹＥＳ）。情報認識部５２は、送信要求に基づき帳票出力先配置情報生成部５８に出力端末情報の送信命令を送信して、帳票出力先配置情報生成部５８に出力端末情報を変更させる（ステップＳ１１）。
【００４０】
帳票出力先配置情報生成部５８は、情報認識部５２からユーザ端末２のユーザ端末識別情報と帳票識別情報と出力端末情報を受信し（ステップＳ１２）、出力端末情報格納部５３にアクセスして、ユーザ端末２のユーザ端末識別情報と帳票識別情報とから変更する出力端末３を特定する（ステップＳ１３）。更に、帳票出力先配置情報生成部５８は、出力端末配置情報格納部５６にアクセスして、送信要求を送信したユーザ端末２のユーザ端末識別情報と帳票識別情報とに基づきユーザ端末２のユーザ端末位置情報と出力端末３の出力端末位置情報を取得する（ステップＳ１４）とともに、ユーザ端末２と出力端末３とが少なくとも含まれる出力端末設置領域情報を取得する（ステップＳ１５）。
【００４１】
帳票出力先配置情報生成部５８は、図５に示すように、出力端末接続情報格納部５７にアクセスして、送信要求を送信したユーザ端末２のユーザ識別情報と出力端末情報とに基づき出力端末３の出力端末接続情報を取得する（ステップＳ１６）。帳票出力先配置情報生成部５８は、出力端末設置領域情報にユーザ端末２のユーザ端末情報に基づくユーザ端末表示Ａと、出力端末接続情報に基づく接続関係表示Ｚとを付加して帳票出力先配置情報を生成する（ステップＳ１７）。帳票出力先配置情報生成部５８は、更に、ユーザ端末２からの出力端末情報の変更要求に応じて出力端末情報を変更されてから所定期間経過しているかを判定し（ステップＳ１８）、経過していれば（ステップＳ１８でＹＥＳ）、出力端末３の出力端末情報に基づく出力端末表示として、第一の出力端末表示Ｘを選択し（ステップＳ１９）、経過していなければ（ステップＳ１８でＮＯ）、出力端末表示として、第二の出力端末表示Ｙを選択する（ステップＳ２０）。帳票出力先配置情報生成部５８は、生成した帳票出力先配置情報を情報認識部５２を介して送受信部５１に送信し、送受信部５１は、ユーザ端末２に対して帳票出力先配置情報を送信して、ユーザ端末２のディスプレイ上に表示させる（ステップＳ２１）。
【００４２】
ユーザ端末２のディスプレイ上では、例えば、図６に示されているように、ユーザ端末２から出力端末ＰＲ１１（３）で出力する帳票として新たに検針結果票を追加した場合に、帳票出力先配置情報には、出力端末ＰＲ１１の位置（出力端末の物理的な位置に対応した帳票出力先配置情報上における位置に関連付けられた領域）から引き出された引き出し線の先に「検針結果票」の文字と文字全体を枠で囲まれた図形とからなる第一の出力端末表示Ｘ１が付加されている。この枠は、検針結果票の出力先に出力端末ＰＲ１１が追加されたことを意味する。更に、ユーザ端末２から変更されてから所定期間経過しており、ユーザ端末２から改めて出力端末ＰＲ１１で出力する帳票として変更されていない検針員順路確認一覧表については、文字全体を枠で囲まれていない「検針員順路確認一覧表」の文字のみからなる第二の出力端末表示Ｙとして帳票出力先配置情報に付加されている。
【００４３】
また、ユーザ端末２から出力端末ＰＲ１２（３）で出力されていた集金結果票を、出力端末ＰＲ１１に振り替えた場合に、帳票出力先配置情報には、出力端末ＰＲ１１の位置から引き出された引き出し線の先に「集金結果票」の文字と文字全体を枠で囲まれた図形とからなる第一の出力端末表示Ｘ２が付加されるとともに、出力端末ＰＲ１２の位置から引き出された引き出し線の先に「集金結果票」の文字と文字全体を枠で囲まれ、全体にハッチングが付された図形とからなる第一の出力端末表示Ｘ３が付加される。このハッチングは、集金結果票の出力先から出力端末ＰＲ１２が削除されたことを意味する。
【００４４】
また、検針員（社員）エリアの出力端末ＰＲ２１に表示されている「集金変更通知結果票」及び「集金員登録確認票」は、今回、ユーザ端末２から変更した帳票ではないが、前回、ユーザ端末２から変更された帳票であり、変更されてから所定期間経過していないため、「集金変更通知結果票」及び「集金員登録確認票」からなる文字に下線が付された第一の出力端末表示Ｘ４が付加される。
【００４５】
帳票出力先配置情報には、出力端末情報の送信要求をしたユーザ端末ＩＤ１３の位置を表示するために、該ユーザ端末ＩＤ１３の位置から引き出された引き出し線の先に「ユーザ端末」の文字からなるユーザ端末表示Ａも付加されている。また、帳票出力先配置情報には、ユーザ端末２と出力端末３との接続関係に関する出力端末接続情報を表示するために、ユーザ端末２と出力端末３とを接続するＬＡＮケーブルの配線ルートに対応した位置に点線が引かれた接続関係表示Ｚも付加されている。
【００４６】
このように、出力端末情報変更部５５がユーザ端末２からの出力端末情報の変更要求に応じて出力端末情報を変更し、帳票出力先配置情報生成部５８によって帳票ごとに出力される出力端末３の位置が出力端末表示で表された帳票出力先配置情報が送受信部５１からユーザ端末２に送信される。ユーザは、この帳票出力先配置情報からユーザ端末２で出力可能な一又は一群の帳票ごとの複数ある出力端末３のそれぞれの位置を把握できるようになる。
【００４７】
また、出力端末３から出力可能な一又は二以上の帳票ごとに出力端末表示が表示されるため、ユーザは、帳票ごとに出力される出力端末３を容易に把握することができるようになる。ユーザ端末２が出力端末情報変更部５５に対して出力端末情報の変更要求を行った出力端末３の位置は、第一の出力端末表示Ｘで表示され、ユーザは、この第一の出力端末表示Ｘによって変更された出力端末３の位置を他の出力端末３の位置と区別して把握することができ、変更した出力端末３の位置を容易に把握することができるようになる。第一の出力端末表示Ｘが所定期間表示されるため、ユーザは、所定期間の間、第一の出力端末表示Ｘによって変更した出力端末３の位置を確認することができるようになる。ユーザ端末２と少なくとも一又は二以上の出力端末３との接続関係が接続関係表示Ｚが付加された出力端末設置領域情報がユーザ端末２に送信されるため、ユーザは、この接続関係表示Ｚを参考に出力端末３を変更することができるようになる。
【００４８】
なお、本発明は、上記実施形態の構成に限定されるものではない。つまり、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。また、本発明は、上記した作用効果に限定されるものでもない。つまり、本発明は、本発明の要旨を逸脱しない範囲で種々の変更が可能である。
【００４９】
なお、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【００５０】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００５１】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００５２】
プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５３】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【符号の説明】
【００５４】
１…帳票出力端末変更システム、２…ユーザ端末、３…出力端末、３１…プリンタサーバ、３２…プリンタ、４…Ｗｅｂサーバ、５…帳票出力端末変更装置、５１…送受信部（帳票出力先配置情報送信部）、５２…情報認識部、５３…出力端末情報格納部、５４…帳票出力処理部、５５…出力端末情報変更部、５６…出力端末配置情報格納部、５７…出力端末接続情報格納部、５８…帳票出力先配置情報生成部、６…ネットワーク、Ａ…ユーザ端末表示、Ｘ…第一の出力端末表示（出力端末表示）、Ｙ…第二の出力端末表示（出力端末表示）、Ｚ…接続関係表示
【要約】
ユーザ端末からの一又は二以上の出力端末情報の変更要求に応じて一又は二以上の出力端末情報を変更する出力端末情報変更部と、出力端末位置情報に基づく出力端末設置領域情報における位置に関連付けられた領域上に出力端末表示を出力端末設置領域情報に付加する帳票出力先配置情報を生成する帳票出力先配置情報生成部とを備える。【図１】
0005389300.tif 000002
【図２】
0005389300.tif 000003
【図３】
0005389300.tif 000004
【図４】
0005389300.tif 000005
【図５】
0005389300.tif 000006
【図６】
0005389300.tif 000007